(57)【要約】【課題】  スクロール移動する操作と操作部位を指示・選択する操作とを一体的に行えるようにして、小さな入力選択画面においても、マンマシン性良く操作を行うことができるようにする。【解決手段】  仮想キーボードなどの入力画面上の任意の位置を指示手段２０２で指示し、指示された画面上の任意の位置に基づいて、方向・距離入力手段３０４で方向と距離を入力し、入力された前記方向の逆方向に、前記距離に所定の倍率ｋを乗じた分だけ移動手段３０６により当該画面を移動し、指示手段による位置の指示が終了した時点で選択されているグラフィカルユーザインタフェース項目を項目入力手段３０６により入力する。【選択図】  図３
2005173934.tif 000002
【特許請求の範囲】
【請求項１】
画面上の任意の位置を指示する指示手段と、
前記指示手段により指示された画面上の任意の位置に基づいて、方向と距離を入力する方向・距離入力手段と、
前記方向・距離入力手段により入力された前記方向の逆方向に、前記距離に所定の倍率ｋを乗じた分だけ前記画面を移動する移動手段と、
前記指示手段による位置の指示が終了した時点で選択されているグラフィカルユーザインタフェース項目を入力する項目入力手段と
を含むことを特徴とする情報入力装置。
【請求項２】
前記指示手段により指示された画面上の任意の位置の近傍に、入力画面を表示する入力画面表示手段と、
前記指示手段による位置の指示が終了した時点で前記入力画面を消去する入力画面消去手段と
を更に含むことを特徴とする請求項１に記載の情報入力装置。
【請求項３】
前記入力画面表示手段による入力画面の表示は、それまでに表示されていた画面に対して半透明に重ね合わせられる表示効果をもって行われることを特徴とする請求項２に記載の情報入力装置。
【請求項４】
前記指示手段により指示された画面上の任意の位置の近傍に、所定の大きさの枠を表示する枠表示手段と、
前記方向・距離入力手段により入力された方向に、前記方向・距離入力手段により入力された距離だけ前記枠を移動させる枠移動手段と
を更に含むことを特徴とする請求項１〜３のいずれか１項に記載の情報入力装置。
【請求項５】
前記枠表示手段による枠の表示は、それまでに表示されていた画面に対して半透明に重ね合わせられる表示効果をもって行われることを特徴とする請求項４に記載の情報入力装置。
【請求項６】
前記指示手段は、前記位置の指示を継続して行うことを特徴をする請求項１〜５のいずれか1項に記載の情報入力装置。
【請求項７】
前記選択中のグラフィカルユーザインタフェース項目が別の場所にも表示されることを特徴とする請求項１〜６のいずれか1項に記載の情報入力装置。
【請求項８】
前記指示手段及び前記入力画面表示手段は、タッチパネルであることを特徴とする請求項２又は３に記載の情報入力装置。
【請求項９】
前記入力画面における画像の表示位置は、前記指示手段により指示された前記画面上の任意の位置と、前記画面及び前記画像の大きさと、前記倍率ｋとにより、使用者が画像全体をスクロール表示可能に決定されることを特徴とする請求項２〜８のいずれか１項に記載の情報入力装置。
【請求項１０】
前記指示手段として、使用者が触覚により識別可能な所定の凹凸パターンを形成する凹凸パターン形成手段を含むことを特徴とする請求項１〜９のいずれか１項に記載の情報入力装置。
【請求項１１】
画面上の任意の位置を指示する指示ステップと、
前記指示ステップで指示された画面上の任意の位置に基づいて、方向と距離を入力する方向・距離入力ステップと、
前記方向・距離入力ステップで入力された前記方向の逆方向に、前記距離に所定の倍率ｋを乗じた分だけ前記画面を移動する移動ステップと、
前記指示ステップによる位置の指示が終了した時点で選択されているグラフィカルユーザインタフェース項目を入力する項目入力ステップと
を含むことを特徴とする情報入力方法。
【請求項１２】
画面上の任意の位置を指示する指示処理と、
前記指示処理で指示された画面上の任意の位置に基づいて、方向と距離を入力する方向・距離入力処理と、
前記方向・距離入力処理で入力された前記方向の逆方向に、前記距離に所定の倍率ｋを乗じた分だけ前記画面を移動する移動処理と、
前記指示処理による位置の指示が終了した時点で選択されているグラフィカルユーザインタフェース項目を入力する項目入力処理と
をコンピュータに実行させることを特徴とするコンピュータプログラム。
【請求項１３】
請求項１２に記載のコンピュータプログラムを格納したことを特徴とするコンピュータ読み取り可能な記憶媒体。
【発明の詳細な説明】
【技術分野】
【０００１】
本発明は、コンピュータや電子機器のグラフィカルユーザインタフェースを使用した情報入力装置、情報入力方法、コンピュータプログラム及びコンピュータ読み取り可能な記憶媒体に関するものである。
【背景技術】
【０００２】
近年、液晶等の表示デバイスの高精細化が進んでおり、単にデータを表示するためであれば、画像の精細度を上げることによって、小さな画面でも十分に大量のデータを表示できるようになっている。そこで、小型電子機器等では、搭載する表示装置を小さなものにして、機器の小型化を実現している。
【０００３】
コンピュータや電子機器においては、画面上にグラフィカルユーザインタフェース項目を表示し、使用者にそれを指示させることで機器操作や情報入力を行わせることが一般的であるが、上述の小型電子機器等では、画面と指示手段とを一体化したタッチパネルを採用して、さらに小型化を実現している。
【０００４】
しかし、タッチパネルは、ボタンやメニュー、ソフトウェアキー等の操作部位を画面上に表示し、指やペンなどで直接、押下、ドラッグ等の指示入力をさせるため、操作部位の表示が小さいと操作は困難になる。選択可能な要素をすべて１つの画像に収めながら、なおかつ操作部位の表示を十分に大きくすると、画像の大きさが表示画面の大きさを超えてしまうようになる。画像の大きさが表示画面の大きさを超えた場合に、使用者が表示画面に表示されてない画像領域のデータを表示させたいと希望することがある。このとき、使用者は、表示されていない部分の画像領域が表示画面内に入るように画像をスクロール移動させる。
【０００５】
画像のスクロール動作に関する従来技術としては、「スクロールバー」と称される操作部位を表示画面上に設定して行わせる方法が知られている。この「スクロールバー」は、画像をスクロールすることができる方向に沿ってそれぞれ設けられ、使用者は「スクロールバー」内に設定されるつまみの「スクロールバー」内での位置を移動させて、画像をスクロール移動させる。
【０００６】
この方法によれば、使用者は、表示画面上に表示されていない画像領域にある操作部位を操作・指示したいとき、まず「スクロールバー」を操作して、画像をスクロール移動させた後、表示された画像より操作部位を操作・指示する。
【０００７】
また、画像のスクロール動作に関する他の従来技術としては、グラフィカルユーザインタフェースの動作モードを「画像中の部位の指示選択モード」から「画像スクロールモード」に変更し、カーソル（タッチパネルであれば指やペン）の移動に沿って画像をスクロール移動させる方法もある（このときに、カーソルのアイコンが「矢印」から「手のひら」に変化するなどして「画像スクロールモード」であることが明示されるのが通例である）。
【０００８】
この方法によれば、使用者は、表示画面上に表示されていない画像領域にある操作部位を操作・指示したいとき、まず、グラフィカルユーザインタフェースの動作モードを「画像中の部位の指示選択モード」から「画像スクロールモード」に変更し、画像をスクロール移動させる。続いて、グラフィカルユーザインタフェースの動作モードを「画像スクロールモード」から「画像中の部位の指示選択モード」に変更し、表示された画面上より操作部位を操作・指示する。
【０００９】
また、画像のスクロール動作に関するその他の従来技術としては、特開平５−９４５０４号公報（特許文献１）に開示されているものがある。この特許文献１では、使用者がグラフィカルユーザインタフェースの動作モードを「画像中の部位の指示選択モード」から「画像スクロールモード」に変更し、座標入力手段から表示画面内の点を指定点として指定すると、機器は基準点と指定点との位置のずれを座標の値の偏差として演算し、指定点に対応する位置に表示された画像が基準点に対応する位置にくるように当該画像を変更切換えして、表示された画像をスクロール移動する。また、指定点の指定を複数回継続して行うと、所定時間おきにその回数だけ、順次切換えられた画像に対してスクロール移動を行う。
【００１０】
【特許文献１】特開平５−９４５０４号公報
【特許文献２】特開平１０−２５５１０６号公報
【発明の開示】
【発明が解決しようとする課題】
【００１１】
しかしながら、上述した従来例における方法では、使用者は、スクロール移動させる操作と操作部位を指示・選択する操作とを別々に行わなければならず、表示されていない画像領域に多くの操作部位があるときには、操作効率が非常に悪くなるという問題があった。
【００１２】
本発明は上述の問題点にかんがみてなされたものであり、スクロール移動する操作と操作部位を指示・選択する操作とを一体的に行えるようにして、小さな入力選択画面においても、マンマシン性良く操作を行うことができるようにすることを目的とする。
【課題を解決するための手段】
【００１３】
本発明は上記課題を解決するために、画面上の任意の位置を指示する指示手段と、前記指示手段により指示された画面上の任意の位置に基づいて、方向と距離を入力する方向・距離入力手段と、前記方向・距離入力手段により入力された前記方向の逆方向に、前記距離に所定の倍率ｋを乗じた分だけ前記画面を移動する移動手段と、前記指示手段による位置の指示が終了した時点で選択されているグラフィカルユーザインタフェース項目を入力する項目入力手段とを含む情報入力装置等を提供する。
【発明の効果】
【００１４】
本発明によれば、使用者が表示画面内の任意の位置を押下して指示し、その押下状態を保ちながら当該画面上をドラッグすることにより、指示された位置に対するドラッグされた位置の方向と距離において、当該方向の逆方向に、当該距離に所定の倍率を乗じた分だけ画像をスクロール移動するようにしたので、スクロール移動を実施しながら操作部位の指示項目を変更することができる。これにより、スクロール移動する操作と操作部位を指示・選択する操作とを一体的に行うことができ、小さな入力選択画面においても、マンマシン性良く操作を行うことができる。
【００１５】
また、本発明の他の特徴によれば、入力画面を、使用者により指示された任意の位置に任意のタイミングで表示させることができる。したがって、表示画面における情報の表示が使用者の意図に反してされることを回避できる。また、本発明の他の特徴によれば、使用者が画面上の任意の点を押下し、また、当該画面上をドラッグすることにより、入力項目の識別、選択、入力を一連の操作で行うことができる。
【発明を実施するための最良の形態】
【００１６】
図１は、本発明の実施形態における情報入力装置を備える情報機器１０１の外観図である。また、図２は、情報機器１０１における表示画面の拡大図である。
図２において画面２０１は、たとえば液晶表示装置などで実現され、情報機器１０１の取り扱う文字、画像、映像などの様々な情報を表示する。指示手段２０２は、たとえばタッチパネルやデジタイザ、ポインティングデバイスで実現され、画面２０１上の任意の位置を指示するものである。
【００１７】
図３は、情報機器１０１の要部構成を示すブロック図である。
情報機器１０１は、画面２０１と、指示手段２０２と、位置検出手段３０１と、中央処理装置３０２と、方向・距離入力手段３０４と、移動手段３０５と、項目入力手段３０６と、表示制御手段３０７と、メモリ３０８とを含んで構成される。
【００１８】
指示手段２０２が押下されるなどして操作されると、位置検出手段３０１は、指示手段２０２の操作された位置の座標を検出し、中央処理装置３０２に位置情報を出力する。中央処理装置３０２は、表示制御手段３０７に対し、画面２０１において表示画像を表示するためのデータを出力する。表示制御手段３０７は、中央処理装置３０２から与えられた出力に従って画面２０１を制御する。
【００１９】
ここで、中央処理装置３０２は、演算部３０２１および入出力部３０２３を有する。演算部３０２１は、中央処理装置３０２に与えられる出力に基づいて演算を行う。演算部３０２１は、演算に用いられるデータや演算した結果を保存する内部メモリやレジスタなどを含んでいる。入出力部３０２３は、中央処理装置３０２に与えられる出力を受ける入出力ポートおよびバッファなどを含んでいる。
【００２０】
中央処理装置３０２は、メモリ３０８に保存されたデータを読込む。また、メモリ３０８は、中央処理装置３０２からの出力を保存する。
【００２１】
メモリ３０８は、データ部３０８１と、プログラム部３０８２と、表示位置部３０８３と、表示バッファ部３０８４とを含んで構成される。データ部３０８１には、キャラクタを画面２０１に表示するためのフォントデータやグラフィックデータなどのデータが保存されている。プログラム部３０８２には、方向・距離入力手段３０４と、移動手段３０５と、項目入力手段３０６とを実現するプログラムや、その他、情報機器１０１の動作を制御するためのプログラムなどが保存されている。
【００２２】
データ部３０８１には、画面２０１に表示するべきデータが画面２０１に表示することができる態様に展開されて保存される。表示位置部３０８３には、データ部３０８１に保存されるデータのうち、画面２０１に表示画像として保存されるデータを示すデータが蓄えられる。表示バッファ部３０８４には、画面２０１に表示される表示画像の画像データが蓄えられる。
【００２３】
本発明の実施形態における情報機器１０１において、ボタン等の操作部位は、グラフィカルユーザインタフェースとして、画面２０１に描画された画像と、画像が表示されたときにその直上に位置する指示手段２０２とを組合わせて構成される。すなわち、指示手段２０２によって入力された座標が、画像内の各操作部位が描画される位置と対応する位置を示している場合には、各操作部位が操作されるものと判断され、当該操作部位に対応した処理動作が実行される。いわば、画面２０１に表示される画像によって区分された指示手段２０２の一部の領域が入力手段として用いられる。区分された領域の座標が検出された場合には、区分された領域の直下の画面２０１に表示される画像で表される機能が実行される。
【００２４】
また、画面２０１と指示手段２０２と組合わせて設定される入力手段の各操作部位は、入力された画像と表示画像とを対応させるプログラムを変更するだけで、元の配置を容易に変更することができる。
【００２５】
（第１の実施例）
図４は、本発明の第１の実施例における情報機器（情報入力装置）の画面２０１に表示される表示画像４０１を示す図である。
データ画像部分４０２には、データ部３０８１に保存されたデータのうち、一部のデータが画像化されて表示される。データ部３０８１に保存されているデータは、データ画像部分４０２よりも大きい仮想的な表示領域に対応して画像化される。データ画像部分４０２に表示されている画像は、仮想的画像の一部を切り出した画像である。したがって、データ画像部分４０２の画像の四方の周辺部には、画面２０１に表示されていないデータに対応する画像が存在する。
【００２６】
本実施例の情報機器１０１では、データ画像部分４０２に表示されていない部分のデータの画像を表示するために行うスクロール動作においては、まず、データ画像部分４０２に対応した表示画面内の点を押下指示し、次に、その押下状態を保ちながら、画面２０１上をドラッグすることで実施される。
【００２７】
図５は、第１の実施例における情報入力方法のスクロール動作を説明するための模式図である。
図５の外枠５０２ａは、図４のデータ画像部分４０２の領域の境界線４０２ａに対応するものであり、画像のスクロール動作が行われる表示領域である画面２０１のスクロールエリア５０２の縁部を示す。
【００２８】
初期押下ポイント５０３は、情報機器１０１の使用者が指示手段２０２から押下指示した点に対応するスクロールエリア５０２内の点である。また、現指示ポイント５０４は、情報機器１０１の使用者が上述の押下状態を保ちながら画面２０１上をドラッグした点に対応するスクロールエリア５０２内の点である。
【００２９】
図３の中央処理装置３０２は、画面２０１に表示されているデータ画像部分を、初期押下ポイント５０３から現指示ポイント５０４に対する方向と逆方向に、初期押下ポイント５０３と現指示ポイント５０４との間の距離ｄに所定の倍率ｋを乗じた分だけスクロール移動する。このときの方向および距離ｄは、方向・距離入力手段３０４により得られる。また、当該画面２０１に表示されているデータ画像部分の移動は、移動手段３０５により実施される。
【００３０】
本実施例のスクロール動作では、現指示ポイント５０４から初期押下ポイント５０３に至る方向に画像がスクロール移動される。すなわち、図５の例では、ベクトル５０５で示す方向に当該画像がスクロール移動される。このとき、一連のスクロール操作以前には表示されていなかった画像領域５０６が新たに表示される。また、使用者は、スクロール終了時点において、スクロール開始時点とは異なる画像上の点を押下・指示していることになる。このように、本実施例の情報機器１０１では、使用者は、スクロール移動を実施しながら、操作部位の指示項目を変更することができる。
【００３１】
なお、本実施例では、操作部位の指示・選択は、押下による位置の指示・選択の終了、すなわち、画面２０１に対してペンや指を引き上げたり、ポインティングデバイスのボタン押下を終了したりすることで実施される。したがって、たとえば、画面２０１に表示されていない画像上の操作部位であっても、使用者は画像をスクロール移動させながら当該操作部位を表示させ、これを指示・選択することができる。
【００３２】
図６は、第１の実施例における情報入力方法のスクロール動作および項目入力動作を説明するためのフローチャートである。本実施例のスクロール移動動作は、まず、データ画像部分に対応した表示画面内の点を押下指示し、次に、その押下状態を保ちながら、画面上をドラッグすることで実施される。また、本実施例の項目入力動作は、前記押下による位置の指示・選択の終了、すなわち、画面よりペンや指を引き上げたり、ポインティングデバイスのボタン押下を終了したりすることで実施される。
【００３３】
図６のステップＳ６０１では、情報機器１０１において、使用者によりデータ画像部分に対応した表示画面内の点の押下がされたか否かを判断する。この判断の結果、押下がされたと判断された場合には、ステップＳ６０２に進む。一方、ステップＳ６０１の判断の結果、押下がされていないと判断された場合には、ステップＳ６０１で待機する。
【００３４】
続いて、ステップＳ６０２では、初期押下ポイントの位置を入力する。続いて、ステップＳ６０３では、ポインタがスクロールエリア内にあるか否かを判断する。この判断の結果、スクロールエリア内にあると判断された場合には、ステップＳ６０４に進む。一方、ステップＳ６０３での判断の結果、スクロールエリア内にないと判断された場合には、処理を終了する。
【００３５】
続いて、ステップＳ６０４では、現指示ポイントの位置の検出を行う。続いて、ステップＳ６０５では、初期押下ポイントと現指示ポイントとの座標のずれを演算して、方向・距離の入力を行う。
【００３６】
続いて、ステップＳ６０６では、ステップＳ６０５で演算により求められ、入力された方向に対してその逆方向に、演算により求められた距離に所定の倍率ｋを乗じた分だけ画像をスクロール移動する。
【００３７】
続いて、ステップＳ６０７では、指示手段の押下状態が終了したか否かを判断する。この判断の結果、指示手段の押下状態が終了したと判断された場合には、ステップＳ６０８に進む。一方、ステップＳ６０７での判断の結果、指示手段の押下状態が終了していないと判断された場合には、ステップＳ６０３に戻る。
【００３８】
続いて、ステップＳ６０８では、現指示ポイントの直下にあるグラフィカルユーザインタフェースの項目を入力する。その後、当該フローチャートの処理を終了する。
【００３９】
以上のように、本実施例で示した情報機器１０１では、使用者はスクロール操作と操作部位の指示・選択操作とをモード変更等の追加的操作を経ることなく、一体で行うことができるため、大変に効率的である。
【００４０】
（第２の実施例）
図７は、本発明の第２の実施例における情報機器（情報入力装置）の画面２０１に表示される表示画像７０１を示す図である。
図７において、入力画面７０２は、使用者が画面２０１上の任意の位置を押下・指示したとき、その指示された位置の近傍に表示される。
【００４１】
図８は、第２の実施例における情報入力方法のスクロール動作および項目入力動作を説明するためのフローチャートである。この図８は、図６に示した第１の実施例におけるフローチャートと類似のものであり、図６のフローチャートのステップＳ６０２〜ステップＳ６０８と同一の動作を内包する。図８においては、図６のステップＳ６０２〜ステップＳ６０８の動作に相当する処理をステップＳ８０３にまとめて記載し、その説明は省略する。
【００４２】
図８のステップＳ８０１では、情報機器１０１において、使用者によりデータ画像部分に対応した表示画面内の点の押下がされたか否かを判断する。この判断の結果、押下がされたと判断された場合には、ステップＳ８０２に進む。一方、ステップＳ８０１の判断の結果、押下がされていないと判断された場合には、ステップＳ８０１で待機する。
【００４３】
続いて、ステップＳ８０２では、入力画面を表示する。続いて、ステップＳ８０３では、図６に示したステップＳ６０２〜ステップＳ６０８と同一の動作処理を行う。続いて、ステップＳ８０４では、入力画面を消去する。その後、当該フローチャートの処理を終了する。
【００４４】
以上のように、本実施例で示した情報機器１０１では、使用者は操作部位の表示操作と、スクロール操作と、操作部位の指示・選択操作と、消去操作とをモード変更等の追加的操作を経ることなく、一体で行うことができるため、大変に効率的である。
【００４５】
（第３の実施例）
図９は、本発明の第３の実施例における情報機器（情報入力装置）の画面２０１に表示される表示画像９０１を示す図である。
図９において、入力画面９０２は、使用者が画面２０１上の任意の位置を押下・指示したとき、その指示された位置の近傍に、枠９０３とともに表示される。また、入力画面９０２および枠９０３の表示は、それまで表示されていた画面に半透明に重ね合わせられる表示効果をもって行われる。
【００４６】
図１０は、第３の実施例における情報入力方法のスクロール動作および項目入力動作を説明するためのフローチャートである。
図１０のステップ１００１では、情報機器１０１において、使用者によりデータ画像部分に対応した表示画面内の点の押下がされたか否かを判断する。この判断の結果、押下がされと判断された場合には、ステップＳ１００２に進む。一方、ステップＳ１００１の判断の結果、押下がされていないと判断された場合には、ステップＳ１００１で待機する。
【００４７】
続いて、ステップＳ１００２では、初期押下ポイントを入力して枠を表示する。続いて、ステップＳ１００３では、枠内に入力画面を表示する。続いて、ステップ１００４では、ポインタがスクロールエリア内にあるか否かを判断する。この判断の結果、ポインタがスクロールエリア内にあると判断された場合には、ステップＳ１００５に進む。一方、ステップ１００４の判断の結果、ポインタがスクロールエリア内にないと判断された場合には、当該フローチャートの処理を終了する。
【００４８】
続いて、ステップＳ１００５では、現指示ポイントの位置を検出する。続いて、ステップＳ１００６では、初期押下ポイントと現指示ポイントとの座標のずれを演算して、方向・距離を入力する。続いて、ステップＳ１００７では、入力された方向に、入力された距離だけ枠を移動する。続いて、ステップＳ１００８では、入力された前記方向の逆方向に、入力された距離に所定の倍率ｋを乗じた分だけ枠内の入力画面をスクロール移動する。
【００４９】
続いて、ステップＳ１００９では、指示手段の押下状態が終了したか否かを判断する。この判断の結果、指示手段の押下状態が終了したと判断された場合には、ステップＳ１０１０に進む。一方、ステップＳ１００９での判断の結果、指示手段の押下状態が終了していないと判断された場合には、ステップＳ１００４に戻る。
【００５０】
続いて、ステップＳ１０１０では、現指示ポイントの直下にあるグラフィカルユーザインタフェースの項目を入力する。続いて、ステップＳ１０１１では、枠および入力画面を消去する。その後、当該フローチャートの処理を終了する。
【００５１】
以上のように、本実施例で示した情報機器１０１では、使用者はそれまでに表示されていた画面を引き続き表示させながら、操作部位の表示操作と、スクロール操作と、操作部位の指示・選択操作と、消去操作とをモード変更等の追加的操作を経ることなく、一体で行うことができるため、大変に効率的である。
【００５２】
（第４の実施例）
図１１は、本発明の第４の実施例における情報機器（情報入力装置）を説明する模式図である。
図１１において、画像１１０２は、画面１１０１上に表示される画像データの仮想領域として模式的に描かれている。
【００５３】
今、使用者が画面１１０１上のポイント１１０３を押下し、押下状態を保ったままドラッグ移動すると、ドラッグ移動可能な距離はＸ軸方向にｘ、または、Ｗ−ｘ、Ｙ軸方向にｙ、または、Ｈ−ｙである。このとき、画像１１０２は、ドラッグした方向と逆方向に、ドラッグした距離にｋ倍を乗じた距離だけスクロール移動するため、押下時に表示される画像上のポイント１１０４の座標位置が（（ｋ＋１）ｘ，（ｋ＋１）ｙ）であるとき、画面全体では（（ｋ＋１）Ｗ，（ｋ＋１）Ｈ）の大きさの画像をスクロール表示できることになる。
【００５４】
したがって、画面にスクロール表示する画像の大きさが（（ｋ＋１）Ｗ，（ｋ＋１）Ｈ）より小さいとき、当該画像の表示位置を、図１１の画像１１０２の領域内に表示されるように決定すれば、使用者は画像全体をスクロール表示できるようになる。
【００５５】
以上のように、本実施例で示した情報機器１０１では、使用者は画面上の任意の点を押下して、画像全体をスクロール表示させることが可能となる。
【００５６】
（第５の実施例）
図１２は、本発明の第５の実施例における情報機器（情報入力装置）を説明する模式図である。
図１２において、凹凸パターン形成手段１２０２は、触覚により識別可能な所定の凹凸パターンを形成する手段であり、画面表示での濃淡を凹凸として形成する。このような凹凸パターンを形成する手段としては、たとえば、特開平１０−２５５１０６号公報（特許文献２）に開示されているようなものなどがあるが、本発明においては特にこの方法に拘るものではない。また、本実施例においては、さらに、指示手段、位置検出手段、方向・距離入力手段が凹凸パターン形成手段１２０２と一体に構成される。仮想データ領域１２０３は、凹凸パターン形成手段１２０２上に形成されるデータの仮想領域を模式的に描いたものである。
【００５７】
今、使用者が凹凸パターン形成手段１２０２上のポイントを押下し、押下状態を保ったままドラッグ移動すると、仮想データ領域１２０３は、ユーザによりドラッグされた方向と逆方向に、ドラッグした距離にｋ倍を乗じた距離だけスクロール移動する。このとき、凹凸パターン形成手段１２０２の面積が小さくても、データの凹凸パターンは、本発明の効果によって十分に大きく形成されるから、使用者は触覚によってそれを識別することが容易である。本実施例での項目入力動作は、凹凸パターン形成手段１２０２から指を引き上げ、押下状態を終了することにより実施される。このとき使用者は、当該情報機器（情報入力装置）１２０１を目視することなく、入力項目の識別、選択、入力を一連の操作で行えるので、非常に入力効率がよく便利である。
【図面の簡単な説明】
【００５８】
【図１】本発明の実施形態における情報入力装置を備える情報機器１０１の外観図である。
【図２】情報機器における表示画面の拡大図である。
【図３】情報機器の要部構成を示すブロック図である。
【図４】本発明の第１の実施例における情報機器（情報入力装置）の画面に表示される表示画像を示す図である。
【図５】第１の実施例における情報入力方法のスクロール動作を説明するための模式図である。
【図６】第１の実施例における情報入力方法のスクロール動作および項目入力動作を説明するためのフローチャートである。
【図７】本発明の第２の実施例における情報機器（情報入力装置）の画面に表示される表示画像を示す図である。
【図８】第２の実施例における情報入力方法のスクロール動作および項目入力動作を説明するためのフローチャートである。
【図９】本発明の第３の実施例における情報機器（情報入力装置）の画面に表示される表示画像を示す図である。
【図１０】第３の実施例における情報入力方法のスクロール動作および項目入力動作を説明するためのフローチャートである。
【図１１】本発明の第４の実施例における情報機器（情報入力装置）を説明する模式図である。
【図１２】本発明の第５の実施例における情報機器（情報入力装置）を説明する模式図である。
【符号の説明】
【００５９】
２０１  画面
２０２  指示手段
３０１  位置検出手段
３０２  中央処理装置
３０２１  演算部
３０２３  入出力部
３０４  方向・距離入力手段
３０５  移動手段
３０６  項目入力手段
３０７  表示制御手段
３０８  メモリ
３０８１  データ部
３０８２  プログラム部
３０８３  表示位置部
３０８４  表示バッファ部
【図１】
2005173934.tif 000003
【図２】
2005173934.tif 000004
【図３】
2005173934.tif 000005
【図４】
2005173934.tif 000006
【図５】
2005173934.tif 000007
【図６】
2005173934.tif 000008
【図７】
2005173934.tif 000009
【図８】
2005173934.tif 000010
【図９】
2005173934.tif 000011
【図１０】
2005173934.tif 000012
【図１１】
2005173934.tif 000013
【図１２】
2005173934.tif 000014